(57)【要約】【課題】淡水の原水を直接ＭＦ膜分離装置又はＵＦ膜分離装置で処理してもＭＦ膜又はＵＦ膜が目詰まりしにくく、高機動車に搭載できるほど小型であって、飲料水を長期間安定して製造しうる飲料水製造用水処理システムを提供すること。【解決手段】設置スペースの大きい長毛ろ過器を使用せず、淡水の原水を直接ＭＦ膜分離装置又はＵＦ膜分離装置で処理する。そして、ＭＦ膜分離装置又はＵＦ膜分離装置の複数のモジュールを、一部分ずつ頻繁に逆洗浄することによりＭＦ膜又はＵＦ膜の目詰まりを防止する。また、ＭＦ膜分離装置又はＵＦ膜分離装置の処理水をタンクに貯水して逆洗浄に使用するのではなく、通常であればそのまま排水されるＲＯ膜分離装置の高圧濃縮水を、ＭＦ膜分離装置又はＵＦ膜分離装置の逆洗浄用洗浄水として、貯水タンク及びポンプを介さずに使用する。【選択図】図１
2007181822.tif 000002
【特許請求の範囲】
【請求項１】
複数のモジュールから構成される精密ろ過膜又は限外ろ過膜を用いた膜分離装置と、
逆浸透膜装置とを備え、
膜分離装置の処理水を逆浸透膜装置で処理する飲料水製造システムであって、
逆浸透膜装置の濃縮水排出口と、膜分離装置の各モジュールの透過水出口側経路とを接続する逆洗経路を備え、膜分離装置のモジュールの一部を逆洗浄する場合に、逆浸透膜分離装置の濃縮水をポンプで加圧することなく洗浄水として用いることを特徴とする飲料水製造用水処理システム。
【請求項２】
膜分離装置へと原水を供給する原水供給経路のろ過ポンプ下流と、
逆浸透膜分離装置へと膜分離装置の処理水を供給する膜処理水供給経路の加圧ポンプ上流と、
逆浸透膜分離装置の透過水出口側経路と、
前記逆洗経路とにそれぞれ流量計を備え、
ろ過ポンプ下流の流量計の指示値が膜分離装置の必要供給水量未満の場合にはろ過ポンプの回転数を上げ、
加圧ポンプ上流の流量計の指示値が膜分離装置の必要処理水量未満の場合には加圧ポンプの回転数を上げ、
逆浸透膜分離装置の透過水出口側経路の流量計の指示値が、逆浸透膜分離装置の必要処理水量未満の場合には濃縮水排出口側の流量調節弁を絞り、
逆洗経路の流量計の指示値が目標値未満の場合には逆洗経路の流量調節弁を開くように制御することによって、
逆浸透膜分離装置の処理水量を運転中一定に保つ請求項１に記載の飲料水製造用水処理システム。
【請求項３】
複数のモジュールから構成される精密ろ過膜又は限外ろ過膜を用いた膜分離装置と、
逆浸透膜装置と、
逆浸透膜装置の濃縮水排出口と膜分離装置の各モジュールの出口側とを接続する逆洗経路とを備え、
膜分離装置の処理水を逆浸透膜装置で処理する飲料水製造用水処理システムの運転方法であって、
膜分離装置のモジュールの一部を逆洗浄する場合に、逆洗浄対象であるモジュールへの原水の供給は停止しつつ、逆洗浄対象ではないモジュールへの原水の供給は継続して膜分離装置の処理水を得、
逆浸透膜分離装置の濃縮水をポンプで加圧することなく、逆洗経路を通じて逆洗浄対象のモジュールの透過水出口側から供給することを特徴とする飲料水製造用水処理システムの運転方法。
【請求項４】
膜分離装置のモジュールの一部を逆洗浄する場合に、逆洗対象外のモジュールの透過水量を増加させ、逆浸透膜分離装置の処理水量を運転中一定に保つことを特徴とする請求項３に記載の飲料水製造用水処理システムの運転方法。
【発明の詳細な説明】
【技術分野】
【０００１】
本発明は、河川水、湖沼水等を原水として、精密ろ過膜（ＭＦ膜）分離装置又は限外ろ過膜（ＵＦ膜）分離装置と、逆浸透膜（ＲＯ膜）装置とを用いて膜分離処理を行い、飲料水を製造するための水処理システム及びその運転方法に関する。
【背景技術】
【０００２】
ＭＦ膜又はＵＦ膜は、微粒子等の除去性能が高いため、原水中に含まれる微細な固形物、懸濁物質、微生物等を分離する固液分離手段として使用される。また、このＭＦ膜を組み込んだＭＦ膜分離装置又はＵＦ膜を組み込んだＵＦ膜分離装置は、操作が簡便であることから、医薬、化学、半導体等の分野的で工業的に広く利用されている。
【０００３】
また、ＲＯ膜は、水中の塩類、有機物質（トリハロメタン、農薬等）、微細粒子（生菌、死菌、ウイルス等）を安定かつ活効率的に除去できるため、超純水製造から海水淡水化まで広い範囲で利用されている。例えば、医薬品、半導体の分野において、注射用水、超純水等の製造に利用されている。
【０００４】
ＲＯ膜は、非常に微細な細孔を有しているため、原水（例えば、工業用水）を、まずＭＦ膜分離装置又はＵＦ膜分離装置を用いて前処理し、それらの処理水をＲＯ膜装置で膜分離処理することが一般的である。
【０００５】
ここで、地震、津波等の災害時に飲料水を製造するため、被災地の原水を浄化する浄化装置として、長毛ろ過装置と珪藻土ろ過装置を用いる車載型の移動式浄水装置が、特許文献１に開示されている。
【０００６】
また、ＲＯ膜を用いる海水淡水化装置と、ＵＦ膜を用いる汚濁淡水の浄化装置等を備える車両搭載型清水製造装置が、特許文献２に開示されている。
【０００７】
また、回転するろ過筒を通じてろ過を行う第一ろ過器と、ＭＦ膜又はＲＯ膜処理を行う第二ろ過器と、ＲＯ膜を用いて純水を得る第三ろ過器とを備える移動式浄水設備が、特許文献３に開示されている。
【０００８】
この特許文献３には、ＲＯ膜装置の濃縮水を、逆洗浄用ブロワを併用しながらＭＦ膜分離装置又はＵＦ膜分離装置の逆洗用洗浄水に用いることも開示されている。
【特許文献１】実公昭６２−９９９７号公報
【特許文献２】特開平９−１４１２６２号公報
【特許文献３】特開平８−７１５６７号公報
【発明の開示】
【発明が解決しようとする課題】
【０００９】
しかし、特許文献１に開示される移動式浄水装置は、細菌、ウイルス、塩類、重金属類、農薬等の化学物質を除去することができず、原水の濁度が高い場合には、珪藻土ろ過器を頻繁に手動で逆流洗浄しなければならないという欠点があった。
【００１０】
また、特許文献２及び特許文献３に開示される移動式浄水設備は、原水タンクや凝集剤を添加した原水を貯留するタンクを有するため、大型車両でなければ浄水設備を搭載することが困難である。
【００１１】
さらに、特許文献３には、ＲＯ膜装置の濃縮水をＭＦ膜分離装置又はＵＦ膜分離装置の逆洗用洗浄水として用いることは開示されているが、そのための運転方法については何ら開示されておらず、単にＲＯ膜分離装置の濃縮水を逆洗浄用水として用いるだけでは、逆洗時には処理水量が当然に低下してしまう問題がある。
【００１２】
その一方、地震等の被災地では道路等が陥没したり、道路にはがれき等の障害物があり、従来のトラック等の大型車両では走行できない箇所がある。このような場合、被災地での浄水の供給ができなくなるため、多少の悪路でも走行可能な小型で機動性の高い高機動車と呼ばれる小型車両の利用が検討されている。
【００１３】
しかし、高機動車の荷台寸法は、縦2070mm×横2000mm×高さ1175mm程度であり、一般的な大型車両の荷台寸法である縦4500mm×横2990mm×高さ2080mmと比較すると、浄水設備のスペースが非常に限られることが大きな問題である。また、積載重量も小さいため、高機動車に搭載する発電機の仕様（発電容量、大きさ、重量）を考慮して、水処理システムのコンパクト化、軽量化及び省エネ化を行う必要があった。また、浄水設備のメンテナンス性も課題としていた。
【００１４】
原水中に含まれる細菌、ウイルス、化学物質等を除去するためにはＲＯ膜装置を使用する必要があるが、上述したように、前処理としてＭＦ膜分離装置又はＵＦ膜分離装置で原水を処理しなければならない。ここで、設置スペースの大きい長毛ろ過器等を使用せず、ＭＦ膜分離装置又はＵＦ膜分離装置で原水を直接処理すれば、飲料水製造システムを小型化しうるが、原水濁度が高ければＭＦ膜又はＵＦ膜が目詰まりしやすくなるため、長期間安定した飲料水の製造が困難になる。
【００１５】
また、ＭＦ膜分離装置又はＵＦ膜分離装置の処理水は、ＭＦ膜モジュールの逆洗浄用の洗浄水として使用するため、従来の水処理システムではＭＦ膜処理水又はＵＦ膜処理水の貯水タンク及び逆洗用ポンプが必要であり、高機動車に搭載するにはスペース的に無理があった。
【００１６】
さらに、災害地で飲料水を製造する場合、製造水量が常に一定であることが期待され、ＭＦ膜分離装置又はＵＦ膜分離装置の洗浄中にも水処理システムの製造水量が減少することは好ましくないという事情もある。
【００１７】
本発明は、淡水の原水を直接ＭＦ膜分離装置又はＵＦ膜分離装置で処理してもＭＦ膜又はＵＦ膜が目詰まりしにくく、高機動車に搭載できるほど小型であって、飲料水を長期間安定して製造しうる飲料水製造システム及びその運転方法の提供を目的とする。
【課題を解決するための手段】
【００１８】
本発明の飲料水製造用水処理システムは、設置スペースの大きい長毛ろ過器を使用せず、原水を直接ＭＦ膜分離装置又はＵＦ膜分離装置で処理する。そして、ＭＦ膜分離装置又はＵＦ膜分離装置の複数のモジュールを、一部分ずつ頻繁に逆洗浄することによりＭＦ膜又はＵＦ膜の目詰まりを防止することを、第１の特徴とする。
【００１９】
また、本発明の飲料水製造用水処理システムは、ＭＦ膜分離装置又はＵＦ膜分離装置の処理水をタンクに貯水して逆洗浄に使用するのではなく、通常であればそのまま排水されるＲＯ膜分離装置の高圧濃縮水を、ＭＦ膜分離装置又はＵＦ膜分離装置の逆洗浄用洗浄水として、貯水タンク及びポンプを介さずに使用することを、第２の特徴とする。
【００２０】
具体的に、本発明は、
複数のモジュールから構成されるＭＦ膜又はＵＦ膜を用いた膜分離装置と、
ＲＯ膜装置とを備え、
膜分離装置の処理水をＲＯ膜装置で処理する飲料水製造用水処理システムであって、
ＲＯ膜装置の濃縮水排出口と、膜分離装置の各モジュールの透過水出口側経路とを接続する逆洗経路を備え、膜分離装置のモジュールの一部を逆洗浄する場合に、ＲＯ膜装置の濃縮水をポンプで加圧することなく洗浄水として用いることを特徴とする飲料水製造用水処理システムに関する（請求項１）。
【００２１】
この飲料水製造用水処理システムは、
膜分離装置へと原水を供給する原水供給経路のろ過ポンプ下流と、
逆浸透膜分離装置へと膜分離装置の処理水を供給する膜処理水供給経路の加圧ポンプ上流と、
逆浸透膜分離装置の透過水出口側経路と、
前記逆洗経路とにそれぞれ流量計を備え、
ろ過ポンプ下流の流量計の指示値が膜分離装置の必要供給水量未満の場合にはろ過ポンプの回転数を上げ、
加圧ポンプ上流の流量計の指示値が膜分離装置の必要処理水量未満の場合には加圧ポンプの回転数を上げ、
逆浸透膜分離装置の透過水出口側経路の流量計の指示値が、逆浸透膜分離装置の必要処理水量未満の場合には濃縮水排出口側の流量調節弁を絞り、
逆洗経路の流量計の指示値が目標値未満の場合には逆洗経路の流量調節弁を開くように制御することによって、
逆浸透膜分離装置の処理水量を運転中一定に保つようにすることが好ましい（請求項２）。
【００２２】
また、本発明は、
複数のモジュールから構成される精密ろ過膜又は限外ろ過膜を用いた膜分離装置と、
逆浸透膜装置と、
逆浸透膜装置の濃縮水排出口と膜分離装置の各モジュールの出口側とを接続する逆洗経路とを備え、
膜分離装置の処理水を逆浸透膜装置で処理する飲料水製造用水処理システムの運転方法であって、
膜分離装置のモジュールの一部を逆洗浄する場合に、逆洗浄対象であるモジュールへの原水の供給は停止しつつ、逆洗浄対象ではないモジュールへの原水の供給は継続して膜分離装置の処理水を得、
逆浸透膜分離装置の濃縮水をポンプで加圧することなく、逆洗経路を通じて逆洗浄対象のモジュールの透過水出口側から供給することを特徴とする飲料水製造用水処理システムの運転方法に関する（請求項３）。
【００２３】
膜分離装置のモジュールの一部を逆洗浄する場合には、逆洗対象外のモジュールからの透過水量を増加させて、逆浸透膜分離装置の処理水量を運転中一定に保つことが好ましい（請求項４）。
【発明の効果】
【００２４】
本発明の飲料水製造用水処理システム及びその運転方法は、長毛ろ過装置を省略しても膜分離装置のＭＦ膜又はＵＦ膜の目詰まりが起こりにくい。また、ＭＦ膜処理水又はＵＦ膜処理水の貯水タンク及び逆洗用ポンプも省略することができ、設置スペースをさらに小型化しうる。
【００２５】
また、大気開放式である貯水タンクを省略したことにより、微生物や異物によるＭＦ膜処理水又はＵＦ膜処理水の汚染も起こりにくい。さらに、システム運転中は飲料水の製造量が変化しない。
【発明を実施するための最良の形態】
【００２６】
以下に、本発明の実施の形態について、適宜図面を参照しながら説明する。なお、本発明は、これらに限定されない。
【００２７】
淡水を原水とする、従来の飲料水製造システムの一例を、図２に示す。このシステムでは、まず揚水ポンプ３１によって原水を経路３２へと吸水し、長毛ろ過器３３によって第一次処理することにより、原水中の懸濁物質を除去する。
【００２８】
次に、長毛ろ過器３３の処理水は、経路３４に設置されたろ過ポンプ３５によって加圧（0.2MPa程度）され、ＭＦ膜分離装置３６の供給水入口へと供給される。なお、ＭＦ膜分離装置の代わりにＵＦ膜分離装置が使用されることもある。
【００２９】
ＭＦ膜分離装置３６の処理水（透過水）は、ＭＦ膜分離装置３６の透過水出口から経路３７へと流れ、弁４６を経由してＭＦ膜処理水タンク４２に貯留される。そして、ＭＦ膜処理水タンク４２に貯留されたＭＦ膜処理水は、経路３７に設置された加圧ポンプ３８によって加圧（0.5MPa〜1.5MPa）され、ＲＯ膜装置３９の供給水入口へと供給される。
【００３０】
ＲＯ膜装置３９の処理水は、ＲＯ膜装置３９の透過水出口から経路４０を経て、飲料水をして供給される。このとき、経路４０に活性炭吸着装置等を設置してもよい。ＲＯ膜装置３９の濃縮水は、排水経路４１を経て系外に排水される。
【００３１】
そして、ＭＦ膜分離装置３６のＭＦ膜を逆洗浄する場合には、弁４３を開くとともに弁４６を閉じて、ＭＦ膜処理水タンク４２内の処理水を逆洗経路４４に設置された逆洗ポンプ４５によって加圧して、ＭＦ膜分離装置３６の透過水出口側経路へと供給する。逆洗排水は、排水経路４８に設置された排水弁４７を開き、系外に排水される。
【００３２】
次に、淡水を原水とする、本発明の飲料水製造システムの一例を、図１に示す。この水処理システムでは、まず揚水ポンプ１によって原水を経路２へと吸水し、経路２に設置されたろ過ポンプ３によって原水をさらに加圧する（0.2MPa程度）。このとき、原水濁度が高い場合には、ろ過ポンプ３の前に原水中の固形物を除去するための簡易フィルター等を設置することが好ましい。
【００３３】
ろ過ポンプ３によって加圧された原水は、経路５を経て２台のＭＦ膜分離モジュール７ａ及び７ｂへと供給される。このとき、ろ過ポンプ３出口の原水の流量は、膜モジュール入口流量計４によって測定される。ＭＦ膜分離モジュール７ａ及び７ｂは、２台で１つの膜分離装置を構成しているが、３台以上のモジュールで１つの膜分離装置を構成することも可能である。なお、ＭＦ膜分離モジュールの代わりに、ＵＦ膜分離モジュールを使用し、ＵＦ膜処理水をＲＯ膜処理する構成とすることも可能である。
【００３４】
なお、図１のシステムでは、原水をＭＦ膜分離モジュール７ａ及び７ｂへと供給するまでに、揚水ポンプ１及びろ過ポンプ３の２台のポンプを使用しているが、揚水ポンプ１の出力が十分に大きければろ過ポンプ３を省略することもできる。
【００３５】
ＭＦ膜分離モジュール７aの処理水（透過水）は、ＭＦ膜分離モジュール７ａの透過水出口から経路９へと流れる。そして、経路９に設置された加圧ポンプ１１によって加圧され（0.5〜1.5MPa）、ＲＯ膜装置１３の供給水入口へと供給される。このとき、ＲＯ膜装置１３に供給されるＭＦ膜処理水の流量は、ＲＯ供給水流量計１２によって測定される。ＭＦ膜分離モジュール７ｂの処理水についても同様である。
【００３６】
ＲＯ膜装置１３の処理水（透過水）は、経路１４を経て飲料水として供給される。経路１４内のＲＯ膜処理水の流量は、ＲＯ透過水流量計１５によって測定される。なお、経路１４に活性炭吸着装置等を設置してもよい。
【００３７】
ＲＯ膜装置１３の濃縮水は、排水経路１６から排水される。排水経路１６には、逆洗時にＲＯ濃縮水をＭＦ膜分離モジュール７ａ及び７ｂの透過水出口側経路へ供給するための逆洗経路１８（１８ａ及び１８ｂに分岐する）が接続されており、逆洗経路１８の排水経路１６に近い位置には、逆洗水供給弁１９が設置されている。
【００３８】
通常は、逆洗水量調整弁２０は開かれ、逆洗水供給弁１９は閉じられている。そして、ＲＯ膜濃縮水は、排水経路１６を通じて系外に排水される。一方、ＭＦ膜分離モジュール７ａ及び７ｂの逆洗浄時には、逆洗水量調整弁２０を閉じ、逆洗水供給弁１９を開くことにより、濃縮水が逆洗経路１８を通じてＭＦ膜分離モジュール７ａ及び７ｂの透過水出口側経路へと供給される。
【００３９】
ＲＯ膜装置１３に供給するＭＦ処理水の圧力が0.5MPa以上であれば、逆洗経路１８へと供給される濃縮水の圧力も0.2MPa以上となるため、濃縮水をポンプによって加圧する必要はなく、そのままの圧力でＭＦ膜分離装置の逆洗を行うことができる。
【００４０】
本発明の飲料水製造用水処理システムにおいては、ＭＦ膜分離装置は、複数のＭＦ膜モジュールから構成されている。ＭＦ膜モジュールが複数あることにより、飲料水の製造を行いながら、一部ずつＭＦ膜モジュールの逆洗浄を行うことができる。例えば、ＭＦ膜モジュール７ａへの原水給水を停止しても、ＭＦ膜モジュール７ｂには給水できるため、ＲＯ膜装置１３へと供給されるＭＦ膜処理水はなくならず、ＲＯ膜処理水を製造することが可能である。同時に、ＲＯ膜装置１３から高圧の濃縮水が排水されるため、これを用いて給水を停止しているＭＦ膜モジュール７ａの逆洗浄を行うことができる。
【００４１】
（運転方法）
ここで、本発明の飲料水製造用水処理システムの運転方法について説明する。システム起動時には、まず膜モジュール入口弁６ａ及び６ｂ、膜モジュール透過水出口弁８ａ及び８ｂ、膜モジュール排水弁２１ａ及び２１ｂを開き、揚水ポンプ１及びろ過ポンプ３を順次起動させる。
【００４２】
膜モジュール入口流量計４の指示値は、必要ＭＦ供給水量（必要ＭＦ処理水量／回収率×100）を目標値とすることが好ましい。例えば、必要ＭＦ処理水量が5 m3/h、回収率が50％である場合、必要ＭＦ供給水量（目標値）は、10 m3/hとすることが好ましい。ここで、膜モジュール入口流量計４の指示値が目標値である10 m3/h未満となれば、ろ過ポンプ３の回転数を上げて指示値が10m3/hになるように制御する。また、膜モジュール入口流量計４の指示値が目標値を超えれば回転数を下げて指示値が10m3/hになるように制御し、ＭＦ膜モジュール７ａ及び７ｂへの供給水量を調整する。
【００４３】
加圧ポンプ入口の圧力スイッチ１０は、経路９内のＭＦ膜処理水の圧力が一定以上になれば、加圧ポンプ１１を起動させる。ＲＯ供給水流量計１２の指示値は必要ＭＦ処理水量（上の例では5 m3/h）を目標値とすることが好ましい。ここで、ＲＯ供給水流量計１２の指示値が目標値未満となれば、加圧ポンプ１１の回転数を上げて指示値が５m3/hとなるように制御する。また、ＲＯ供給水流量計１２の指示値が目標値を超えれば回転数を下げて指示値が５m3/hになるように制御し、ＲＯ膜装置１３への供給水量を調整する。
【００４４】
一方、ＲＯ透過水流量計１５の指示値は、必要ＲＯ処理水量（上記実施形態のような１段ＲＯ処理では必要生産水量に等しく、必要ＭＦ処理水量×ＲＯ回収率／100）を目標値とすることが好ましい。ＲＯ膜装置１３のＲＯ回収率は、淡水の場合には60％〜90％の範囲に調整することが好ましい。ここで、ＲＯ透過水流量計１５の指示値が目標値未満となれば、流量調節弁１７を開いて指示値が5m3/hとなるように制御する。また、ＲＯ透過水流量計１５の指示値が目標値を超えれば、流量調節弁１７を閉じて指示値が5m3/hとなるように制御し、ＲＯ膜装置１３の透過水量（生産水量）を調整する。
【００４５】
次に、ＭＦ膜分離モジュール７ａのＭＦ膜を逆洗浄する場合の操作について説明する。ＭＦ膜分離モジュール７ａ及び７ｂの逆洗浄はタイマー設定により、交互に行うことが好ましく、逆洗浄していないＭＦ膜分離モジュールは原水のろ過を継続する。
【００４６】
タイマーから逆洗指示が出ると、膜モジュール入口弁６ａ、膜モジュール透過水出口弁８ａ及び膜モジュール排水弁２１ａを閉じる。また、膜モジュール洗浄空気入口弁２２ａ及び膜モジュール洗浄空気出口弁２３ａを開く。そして、コンプレッサー２４を起動して経路２５ａからＭＦ膜モジュール７ａ内に空気を送り込み、ＭＦ膜を空気洗浄する。送り込まれた空気は、膜モジュール洗浄空気出口弁２３ａから排気される。
【００４７】
一定時間空気洗浄を行った後、膜モジュール洗浄空気入口弁２２ａ及び膜モジュール洗浄空気出口弁２３ａを閉じる。
【００４８】
次に、膜モジュール排水弁２１ａ、逆洗水入口弁２６ａ及び逆洗水供給弁１９を開き、ＲＯ膜装置１３の濃縮水を、逆洗経路１８ａを通じてＭＦ膜分離モジュール７ａの透過水出口側経路に供給する。このとき、逆洗水量流量計２８の指示値は、「ＭＦ膜の逆洗時の透過流束」が「ＭＦ膜の通常運転時の透過流束の100％〜150％」となる水量を目標値とすることが好ましい。逆洗水量流量計２８の指示値が目標値（例えば、1m3/hとする)未満となれば、逆洗水量調整弁２０を閉じて指示値が1m3/hとなるように制御する。また、逆洗水量流量計２８の指示値が1m3/hを超えれば、逆洗水量調整弁２０を開いて指示値が1m3/hとなるように制御することにより、逆洗水量を調節する。
【００４９】
逆洗完了後、逆洗水量調整弁２０を全開とし、膜モジュール排水弁２１ａ、逆洗水入口弁２６ａ及び逆洗水供給弁１９を閉じる。そして、膜モジュール入口弁６ａ、膜モジュール出口弁８ａ及び膜モジュール排水弁２１ａを開き、ＭＦ膜モジュール７ａのろ過運転を再開する。
【００５０】
以上、ＭＦ膜分離モジュール７ａを逆洗浄する場合の操作について説明したが、ＭＦ膜分離モジュール７ｂを逆洗浄する場合の操作も同様である。また、ＭＦ膜分離装置の代わりに、複数のＵＦ膜モジュールから構成されるＵＦ膜分離装置のモジュールを逆洗浄する場合も同様の操作である。
【００５１】
（ＭＦ膜分離モジュール入口流量及びＲＯ供給水流量の制御）
ここで、ＲＯ膜装置１３へのＭＦ膜処理水供給水量の調整は、ＲＯ供給水流量計１２の指示値に基づいて、加圧ポンプ１１の回転数を制御することにより行うが、膜モジュール入口流量計４の指示値が安定していることが前提となる。ＭＦ膜分離モジュール７ａ及び７ｂをろ過運転中には膜モジュール入口流量計４の指示値は安定している。
【００５２】
しかし、ＭＦ膜分離モジュール７ａ又は７ｂの一方を逆洗する場合には、ろ過に使用するＭＦ膜分離モジュールが２本から１本に減少するため、逆洗開始時及び終了時では圧力バランスが崩れ、膜モジュール入口流量計４の指示値が変動する。このときもＲＯ膜装置１３は運転継続中であるため、膜モジュール入口流量計４の指示値が変動しても、ＲＯ供給水流量計１２の流量制御が不安定にならないように制御する必要がある。
【００５３】
具体的には、膜モジュール入口流量計４の制御を早くすることで、逆洗開始時及び終了時の圧力変動を少なくする共に、ＲＯ供給水流量計１２の制御を遅くして膜モジュール入口流量の変動を吸収させることにより、流量制御を安定させる。
【００５４】
（ＲＯ透過水流量及び逆洗水量流量の制御）
一方、ＲＯ膜装置１３の透過水流量は、ＲＯ透過水流量計１５の指示値に基づいて流量調整弁１７の開度を制御することにより調整する。また、ＭＦ膜逆洗水量は、逆洗水量流量計２８の指示値に基づいて逆洗水量調整弁２０の開度を制御することにより調整する。
【００５５】
ＭＦ膜分離モジュール７ａ及び７ｂがろ過運転中は、逆洗水量流量計２８に基づく流量制御を行わない（逆洗水量調整弁２０は全開）ため問題はないが、ＭＦ膜分離モジュール７ａ又は７ｂの一方の逆洗時には、ＲＯ透過水流量及び逆洗水量流量の制御が、互いに相手側の制御に影響を及ぼす。このため、ＲＯ透過水流量及び逆洗水量流量の制御のタイミング及び応答性を調整し、互いの流量制御が不安定にならないようにする必要がある。
【００５６】
具体的には、ＲＯ透過水流量計１５の制御の応答を早くすることで、逆洗開始時及び終了時の流量変動を少なくするとともに、逆洗水量流量計２８の応答を遅くしてＲＯ透過水量の変動を吸収させることにより、流量制御を安定させる。
【００５７】
なお、上記実施形態では、淡水を処理する場合に好適な飲料水製造水処理システムを説明したが、ＲＯ膜装置１３の透過水を、さらに低圧ＲＯ膜装置を用いて処理するシステムとすれば、海水にも適用可能である。海水を処理する場合、ＭＦ膜処理水を処理するためのＲＯ膜装置１３のＲＯ回収率は、40％〜60％とするのが好ましい。
【産業上の利用可能性】
【００５８】
本発明の飲料水製造用水処理システムは、災害地や飲料水供給設備を持たない地域に派遣される高機動車等の車両に搭載可能な水処理システムとして有用である。
【図面の簡単な説明】
【００５９】
【図１】本発明の飲料水製造用水処理システムの一例を示すフロー図である。
【図２】従来の飲料水製造用水処理システムの一例を示すフロー図である。
【符号の説明】
【００６０】
１，３１：揚水ポンプ
２，３２：経路
３，３５：ろ過ポンプ
４：膜モジュール入口流量計
５：経路
６ａ，６ｂ：膜モジュール入口弁
７ａ，７ｂ：ＭＦ膜分離モジュール（又はＵＦ膜分離モジュール）
８ａ，８ｂ：膜モジュール透過水出口弁
９：経路
１０：圧力スイッチ
１１，３８：加圧ポンプ
１２：ＲＯ供給水流量計
１３，３９：ＲＯ膜装置
１４：経路
１５：ＲＯ透過水流量計
１６：排水経路
１７：流量調整弁
１８（１８ａ，１８ｂ）：逆洗経路
１９：逆洗水供給弁
２０：逆洗水量調整弁
２１ａ，２１ｂ：膜モジュール排水弁
２２ａ，２２ｂ：膜モジュール洗浄空気入口弁
２３ａ，２３ｂ：膜モジュール洗浄空気出口弁
２４：コンプレッサー
２５ａ，２５ｂ：経路
２６ａ，２６ｂ：逆洗水入口弁
３３：長毛ろ過器
３４：経路
３６：ＭＦ膜モジュール（又はＵＦ膜モジュール）
３７，４０：経路
４１：排水経路
４２：ＭＦ膜処理水タンク
４３：弁
４４：逆洗経路
４５：逆洗ポンプ
４７：排水弁
４８：排水経路
【図１】
2007181822.tif 000003
【図２】
2007181822.tif 000004
【手続補正書】
【提出日】平成19年2月28日(2007.2.28)
【手続補正１】
【補正対象書類名】明細書
【補正対象項目名】０００８
【補正方法】変更
【補正の内容】
【０００８】
この特許文献３には、ＲＯ膜装置の濃縮水を、逆洗浄用ブロワを併用しながらＭＦ膜分離装置又はＵＦ膜分離装置の逆洗用洗浄水に用いることも開示されている。
【特許文献１】実公昭６２−９９９７号公報
【特許文献２】特開平９−１４１２６１号公報
【特許文献３】特開平８−７１５６７号公報